(57)【要約】【課題】本考案は、多機能のマウスを提供する。【解決手段】本考案のマウスはキャビネットのエッジ側に、操縦桿を設けて、その操縦桿はキャビネットの内部の制御回路に延ばして、キャビネットの前側の中間位置に設けたホイールを配合して、親指で操縦桿の前後の動作を行なって、及びその他の指でホイールの左右の動作の方式でカーソルを移動されて、ユーザは人間工学の方式に合致されてマウスのカーソルを操作して、手部に対する傷害を減少するようになっている。さらにキャビネットの底部に制御回路に接続したゲームパッドを設けて、マウスの全体はマウスのカーソル及びクリックの機能を有している他には、さらにゲームソフトのコントローラとして使用している。【選択図】図２
0003121186.tif 000002
【実用新案登録請求の範囲】
【請求項１】
部材に関連する機械結構を組み立てるための本体であるキャビネットと、キャビネットの内部に設けて、操作ボタンに接続している制御回路と、キャビネットの前側の中間位置に設けて、カーソルの左右の移動を制御するためのホイール、キャビネットの側面の中間位置に設けて、カーソルの前後の移動を制御するための操縦桿を含むことを特徴とする多機能のマウス。
【請求項２】
前記ホイールは、ホイールベースの上に設けて、前記ホイールベースの両側に制御回路の上の押しボタンに延ばした横桿を設けて、ホイールベースのセンサでホイールの回転を検知して、及び押しボタンでホイールの左右の移動を検知しいてることを特徴とする請求項１に記載の多機能のマウス。
【請求項３】
前記操縦桿はキャビネットを貫通して、制御回路の上の二つの押しボタンの間に延ばして、前記押しボタンで操縦桿の前後の移動を検知していることを特徴とする請求項１又は２に記載の多機能のマウス。
【請求項４】
前記ホイールはエッジが凹弧状になっていることを特徴とする請求項１に記載の多機能のマウス。
【請求項５】
前記制御回路は光学機械式変位センサモジュールに接続していることを特徴とする請求項１に記載の多機能のマウス。
【請求項６】
前記制御回路は光学電子式変位センサモジュールに接続していることを特徴とする請求項１に記載の多機能のマウス。
【請求項７】
前記キャビネットの底面に制御回路と接続したゲームパッドを設けていることを特徴とする請求項１に記載の多機能のマウス。
【考案の詳細な説明】
【技術分野】
【０００１】
本考案はマウスに関し、特にユーザが人間工学に合致された方式で、マウスのカーソルを操作されて、且つゲームソフトのコントローラとしての多機能のマウスの結構にに関するものである。
【背景技術】
【０００２】
今までのパーソナルコンピュータの使用習慣として、マウスは不可欠な入力装置の一つである。マウスという装置は鼠のような敏捷で、われわれの指の代わりに、コンピュータを操作するときに必要なクリックの動作を行なっている。また、第１世代の機械式マウスから発展する以来、マウスの変位センサモジュールも光学機械、光学電子などの多数の発展段階を経歴して、さらに無線伝送モジュールを利用してコンピュータとの信号の伝送を行なうことができる。
【０００３】
さらに、同時に不断に位置決めの極めて精確化、外形の個性化などの方へ発展している。もともと脇役のみとするマウスでは、ますますデスクトップ装置の主要な装置の趨勢になっている。それもユーザはマウスを操作する時間も長くなっている。
しかしながら、現在市販されたマウスには、図１に示すように、キャビネット１０の前側の中間位置に設けたホイール２０を利用してカーソルの左右の移動を制御するマウスの結構であるが、この従来のホイール２０はホイールのエッジを突起状に設計するので、指６０とホイール２０の接触感に影響を与えでなくで、特に指６０をホイール２０の両側へ移動されて、ホイール２０を操作させてそれに対応する方向へ移動できる。その機能の実用性と使用の便利性は予期の理想に合わない、且つ指でも疲れしやすい、且つ傷害に受けている。
【考案の開示】
【考案が解決しようとする課題】
【０００４】
現在市販されたマウスも既にマウスのカーソル、クリックを操作する機能を設けているが、多くのは外観形状の設計のみを強調している。なお、マウスの通常の熟れるカーソルの移動方式は、マウスの全体をカーソルに対応した移動方向へ移動されて、変位センサモジュールの検知でカーソルを操作する目的を達成している。但し、このような操作方式では、マウス板の上の汚れの程度によって異なる程度のバラつきを生じて、且つユーザがマウスを操作した時間につれて、ユーザの手首、腕、肩などの部位は疲れを生じて、さらに累積性な傷害になっていた。それは本考案が解決しようとする課題になっている。
【課題を解決するための手段】
【０００５】
本考案はこのような事情に鑑みてなされたものであって、マウスの キャビネットの側面に操縦桿を設けて、その操縦桿はキャビネットの内部の制御回路に延ばすして、キャビネットの前側の中間位置のホイールに配合して、親指で操縦桿の前後の動作を操作できて、及びその他の指でホイールの左右の動作方式でカーソルを移動して、ユーザは人間工学に合致された方式で、マウスのカーソルを操作して手部に対する傷害を減少するようになっている。
【０００６】
実施するとき、マウスは同様に光学機械式又は光学電子式の変位センサモジュールを設けて、使用の便利性及び適用性を増加して、且つさらにキャビネットの底面に制御回路と接続されたゲームパッドを設けて、マウスの全体はマウスのカーソル及びクリックを操作する機能を有すしなくで、さらにゲームソフトのコントローラとして使用する。
【考案を実施するための最良の形態】
【０００７】
本考案に関する多機能のマウスの全体の基本構成は図２及び図３に示すように、ユーザに便利された持つ、部材に関連する機械結構を組み立てるための本体であるキャビネット１０を有して、そのキャビネット１０の内部に制御回路３１を設けて、この制御回路３１は変位センサモジュール３２及び操作ボタン３３に接続している。そのほかには、キャビネット１０の前側の中間位置に制御回路３１と接続したホイールを設けている。
【０００８】
実施するとき、ホイール２０はホイールベース２１の上に設けて、ホイールベース２１の両側に制御回路３１の上の押しボタン３１１の位置に伸ばす横桿２２を設けて、このホイールベース２１でホイール２０の回転を検知して、及び押しボタン３１１でホイール２０の左右の移動を検知している。また、キャビネット１０の側面に操縦桿４０を設けている。その操縦桿４０は、キャビネット１０を貫通して制御回路３１の上の二つの押しボタン３１２の間に延ばして、滑る方式で前後の移動して（図４に示すように）、又は揺れる方式で前後の移動して（図５に示すように）、且つこの二つの押しボタン３１２は操縦桿４０の前後の移動を検知している。
【０００９】
そして、マウスの全体は親指で操縦桿４０の前後の移動を操作して、その他の指でホイール２０の左右の動作方式で、カーソルを移動している。ユーザが人間工学に合致された方式でマウスのカーソルを操作して、手部に対する傷害を減少することができる。ちなみに、ホイール２０のエッジは凹弧状に設計されて、指６０をホイール２０との接触感がより快適になって、且つ図６に示すように、指６０がホイール２０のエッジに置いた時、この凹弧状のホイールのエッジは指６０の両側に形成されて、指６０で接触した突起部２３に対応して、ホイール２０は指６０の左右の移動につれて、ホイール２０の実用性及び使用の便利性を上げることができる。
【００１０】
なお、マウスの全体は同様に光学機械式又は光学電子式の変位センサモジュールを設けて、ユーザの操作習慣を満足して、使用の便利性及び適用性を増加している。図７に示すように、さらにキャビネット１０の底面に制御回路３１と接続されたゲームパッド５０を設けて、マウスの全体はマウスのカーソル及びクリックを操作する機能を有すしなくで、さらにゲームソフトのコントローラとして使用する。
【産業上の利用可能性】
【００１１】
上記のように、本考案は、最適なマウス結構を提供している。ただ、以上の実施説明及び図面に示すように、本考案の最適な実施例であるもので、本考案の実施範囲に限定されなく、全て本考案の構造、装置、特徴などと近似、同じなものでは、本考案の特許請求の範囲に属するものとする。
【図面の簡単な説明】
【００１２】
【図１】本考案の従来のマウスのホイールの操作方式の模式図である。
【図２】本考案のマウスの外観斜面図である。
【図３】本考案のマウスの結構断面図である。
【図４】本考案の操縦桿の移動方式の模式図である。
【図５】本考案の操縦桿の他の移動方式の模式図である。
【図６】本考案のホイールの操作方式の模式図である。
【図７】本考案の他の一実施例のマウスの底面結構の模式図である。
【符号の説明】
【００１３】
１０    キャビネット
２０    ホイール
２１    ホイールベース  
２２    横桿
２３    突起部
３１    制御回路
３１１    押しボタン
３１２    押しボタン
３２    変位センサモジュール
３３    操作ボタン
４０    操縦桿
５０    ゲームパッド
６０    指
【図１】
0003121186.tif 000003
【図２】
0003121186.tif 000004
【図３】
0003121186.tif 000005
【図４】
0003121186.tif 000006
【図５】
0003121186.tif 000007
【図６】
0003121186.tif 000008
【図７】
0003121186.tif 000009